(57)【要約】【課題】安価な構成で、エアフイルタの着脱が容易な空気調和機を提供する。【解決手段】台枠（図示せず）に取り付けられる前面枠２と、前記前面枠２に開閉自在に設けた化粧パネル本体（図示せず）と、前記前面枠２に着脱自在のエアフイルタ８と、前記前面枠２の下部に形成され前記エアフイルタ８の下端を保持する保持部９を備え、前記保持部９は上部が開口し、断面をコの字状に形成したもので、エアフイルタ８の挿入ツメや挿入ツメを挿入する挿入穴等が不用になり、エアフイルタ８の意匠性が向上し、しかもエアフイルタ８の脱着が極めて容易で、また、運搬時に、エアフイルタ８が前面枠２から外れる事も無いので、組み立て時にテープ等でエアフイルタ８を止める必要が無くなり組み立て工数、部品点数が削減され、コスト削減が図れる。【選択図】図４
2006132895.tif 000002
【特許請求の範囲】
【請求項１】
台枠と、前記台枠に取り付けられる前面枠と、前記前面枠に開閉自在に設けた化粧パネル本体と、前記前面枠に着脱自在のエアフイルタと、前記前面枠の下部に形成され前記エアフイルタの下端を保持する保持部を備え、前記保持部は上部が開口し、断面をコの字状に形成した空気調和機。
【請求項２】
エアフイルタの下端の少なくともほぼ中央部に、保持部に挿入されるテーパ形状のリブを設けた請求項１に記載の空気調和機。
【請求項３】
保持部に収納されるエアフイルタの下端の左右の端部を、下方に向かってテーパ形状とした請求項１又は２に記載の空気調和機。
【請求項４】
エアフイルタのほぼ中央部で、使用者の視野個所に表示を刻印した請求項１〜３のいずれか１項に記載の空気調和機。
【発明の詳細な説明】
【技術分野】
【０００１】
本発明は、空気調和機に関するもので、特に、空気調和機の室内機に搭載されるエアフイルタの固定方法に関するものである。
【背景技術】
【０００２】
従来、この種の空気調和機のエアフイルタの固定方法について、図５〜８を用いて説明する。
【０００３】
図５は、従来の空気調和機の外観斜視図で、５０は空気調和機の台枠本体で、斜めの吸い込み桟を設けた吸入グリル５１と、吸入グリル５１を開閉自在に取り付けた前面グリル５２が取り付けられている。図６は、同空気調和機の断面図で、内部に送風機５４、熱交換器５５が配設されている。そして、前面グリル５２の内部で吸入グリル５１の裏側にはチリや埃を集塵するエアフイルタ５６が、前面グリル５２の案内面５６ａ、ガイドリブ５６ｂ、吸入グリル５１のガイドリブ５１ａに沿うような形で組み込まれている。
【０００４】
図７は、前記エアフイルタ５６の部分詳細図で、下部中央部に挿入ツメ５７、左右に挿入ツメ５７ａがそれぞれ配設されている。図８は、前記エアフイルタ５６と前記前面グリル５２の詳細図で、エアフイルタ５６の下部に配設された挿入ツメ５７、５７ａが、前記前面グリルに配設されたエアフイルタツメ保持部５８、５８ａと相対する位置に設けてある。
【０００５】
以上の構成において、エアフイルタ５６は、挿入ツメ５７、５７ａのそれぞれがエアフイルタツメ保持部５８、５８ａに挿入される事により保持される（例えば、特許文献１参照）。
【特許文献１】特開平５−９９４５０号公報
【発明の開示】
【発明が解決しようとする課題】
【０００６】
しかしながら、前記従来の空気調和機の構成では、エアフイルタツメ保持部５８、５８ａに前記エアフイルタ５６の挿入ツメ５７、５７ａを狙って挿入するという煩わしい作業が必要で、又輸送時もふくめて挿入ツメ５７、５７ａがエアフイルタツメ保持部５８、５８ａより外れるといった問題があるので、エアフイルタ５６の左右にテーピングする等の対策をするため、組み立て工数の増大、コストアップの要因、空気調和機の実使用開始時にそのテープをはがすといった手間があった。
【０００７】
また、エアフイルタ５６の左右両端が浮くようなソリがある時に、エアフイルタ５６を前面グリル５２に取り付ける際、挿入ツメ５７、５７ａがエアフイルタツメ保持部５８、５８ａに入れづらいという課題を有していた。
【０００８】
本発明は前記従来の課題を解決するもので、エアフイルタ固定時における組立工数及び部品数を減らす事によりコストを削減し、エアフイルタの着脱操作性を向上させた空気調和機を提供することを目的としている。
【課題を解決するための手段】
【０００９】
前記従来の課題を解決するために、本発明の空気調和機は、台枠と、前記台枠に取り付けられる前面枠と、前記前面枠に開閉自在に設けた化粧パネル本体と、前記前面枠に着脱自在のエアフイルタと、前記前面枠の下部に形成され前記エアフイルタの下端を保持する保持部を備え、前記保持部は上部が開口し、断面をコの字状に形成したもので、エアフイルタの挿入ツメや挿入ツメを挿入する挿入穴等が不用になり、エアフイルタの意匠性が向上し、風回路に弊害を与える事も無く、しかもエアフイルタの脱着が極めて容易で、また、運搬時に、エアフイルタが前面枠から外れる事も無いので、組み立て時にテープ等でエアフイルタを止める必要が無くなり、組み立て工数、部品点数削減によるコスト削減が図れる。
【発明の効果】
【００１０】
本発明の空気調和機は、エアフイルタ固定時における組立工数及び部品点数が少なく安価に形成でき、しかもエアフイルタの着脱操作性が極めて優れているものである。
【発明を実施するための最良の形態】
【００１１】
第１の発明は、台枠と、前記台枠に取り付けられる前面枠と、前記前面枠に開閉自在に設けた化粧パネル本体と、前記前面枠に着脱自在のエアフイルタと、前記前面枠の下部に形成され前記エアフイルタの下端を保持する保持部を備え、前記保持部は上部が開口し、断面をコの字状に形成したもので、エアフイルタの挿入ツメや挿入ツメを挿入する挿入穴等が不用になり、エアフイルタの意匠性が向上し、風回路に弊害を与える事も無く、しかもエアフイルタの脱着が極めて容易で、また、運搬時に、エアフイルタが前面枠から外れる事も無いので、組み立て時にテープ等でエアフイルタを止める必要が無くなり組み立て工数、部品点数削減によるコスト削減が図れる。
【００１２】
第２の発明は、特に、第１の発明のエアフイルタの下端の少なくともほぼ中央部に、保持部に挿入されるテーパ形状のリブを設けたもので、エアフイルタの下端の収納時、収納後のガタツキを防止できるものである。
【００１３】
第３の発明は、特に、第１又は第２の発明の保持部に収納されるエアフイルタの下端の左右の端部を、下方に向かってテーパ形状としたもので、エアフイルタの下端を保持部にスムーズに収納できるようになり、エアフイルタの脱着の操作性が向上するものである。
【００１４】
第４の発明は、特に、第１〜３のいずれか一つの発明のエアフイルタのほぼ中央部で、使用者の視野個所に表示を刻印したもので、視認性が向上し、エアフイルタ着脱時に注意書き等の表示を見落とす事がない。
【００１５】
以下本発明の実施の形態について図面を参照しながら説明する。なお、この実施の形態によって本発明が限定されるものではない。
【００１６】
（実施の形態１）
図１は、本発明の第１の実施の形態における空気調和機本体の断面図である。
【００１７】
図１において、１ａは、空気調和機本体１の台枠、２は空気吸い込み桟を設けた前面枠で、３は前記前面枠２に開閉自在にとりつけられた化粧パネル本体である。空気調和機本体１の内部には送風機４、熱交換器５が配設されている。
【００１８】
８は、チリや埃を集塵するエアフイルタで、前記前面枠２の裏側に構成されたエアフイルタガイドレール７によりガイドされ、前面枠２の下部にエアフイルタ８を挿入するため、上部が開口し断面がコの字状の保持部９が設けてある。
【００１９】
図２は、前記前面枠２の正面図である。９ａは前記エアフイルタ８のコノ字挿入部である。コノ字挿入部９ａは前記エアフイルタ８の横方向の長さに相対する長さで前記前面枠３の下部に構成されている。
【００２０】
図３は、前記エアフイルタ８の正面図及び断面図を示すもので、エアフイルタ８の下部にはリブ８ａが左右、及び中央に形成されており、前面枠２の下部に設けた保持部９に挿入される相対寸法にて構成されている。１０はエアフイルタ８の脱着操作をする際に用いる操作部である。１１は、前記エアフイルタ８に設けたネットでありチリや埃を集塵するものである。
【００２１】
図４は、前記エアフイルタ８の部分詳細図及び部分断面図を示すものである。前記エアフイルタ８の下部にはリブ８ａが図に示すようなＹの高さ寸法をもち、前記前面枠２に設けられ内寸法Ｘの保持部９に上部より挿入され、収納されるものである。なお、Ｘ寸法は、Ｙ寸法より僅かに大きめに設定されて、エアフイルタ８の保持部９への挿入を容易にしている。また、前記エアフイルタ８の正面の顧客の視野個所に案内を示す表示としてロゴ８Ｃ等が刻印、印刷されている。
【００２２】
従来この種のエアフイルタおよびその固定装置は最下部に構成され空気調和機の吸い込み部については閉塞構造となっているが、前記ロゴ８ｃは、顧客に容易に見えるように、前記保持部９のコノ字状挿入部９ａより高い位置に設けられ、さらにロゴ８ｃの下部にはエアフイルタ８のネット８ｄが構成されており、送風機４の運転時に保持部９のＹ寸法部分を風が通るようになっている。
【００２３】
８ｂは、前記エアフイルタ８の左右の端部に施されたテーパ部で、その端面は、下方且つエアフイルタ８の中央に向かって、Ｚ寸法で傾斜している。これにより、エアフイルタ８の前面枠２への脱着操作をする際、エアフイルタ８の上下方向は、前記リブ８ａで、左右方向はテーパ部８ｂにて、容易に行えるものである。
【産業上の利用可能性】
【００２４】
以上のように、本発明にかかる空気調和機は、エアフイルタの下端が保持部に挿入しやすいので、エアフイルタの脱着操作性が向上し、かつエアフイルタの固定するためのテープ等が不用になり、工場出荷時の工数削減、部品点数削減が可能となるもので、空気調和機に限らず、脱着式のエアフイルタを備えた空気清浄機、換気装置等各種機器に適用できる。
【図面の簡単な説明】
【００２５】
【図１】本発明の実施の形態１における空気調和機本体の断面図
【図２】同空気調和機の前面枠の正面図
【図３】（ａ）同空気調和機のエアフイルタの正面図（ｂ）同エアフイルタの断面図
【図４】（ａ）同エアフイルタの部分詳細図（ｂ）同エアフイルタの取りつけ部の部分断面図
【図５】従来の空気調和機の全体斜視図
【図６】同空気調和機の断面図
【図７】同空気調和機のエアフイルタの部分詳細図
【図８】同エアフイルタの取り付け部の詳細図
【符号の説明】
【００２６】
１  空気調和機本体
１ａ  台枠
２  前面枠
３  化粧パネル本体
８  エアフイルタ
８ｃ  ロゴ（表示）
９  保持部
【図１】
2006132895.tif 000003
【図２】
2006132895.tif 000004
【図３】
2006132895.tif 000005
【図４】
2006132895.tif 000006
【図５】
2006132895.tif 000007
【図６】
2006132895.tif 000008
【図７】
2006132895.tif 000009
【図８】
2006132895.tif 000010